【事件の表示】
　特願２０１６−５５９４８９「タッチ表示装置およびその製造方法」拒絶査定不服審判事件〔平成２７年　７月　２日国際公開、ＷＯ２０１５／０９６７６４、平成２９年　２月　９日国内公表、特表２０１７−５０４９１８、請求項の数（１１）〕について、次のとおり審決する。
【結　論】
　原査定を取り消す。
　本願の発明は、特許すべきものとする。
【理　由】
第１　手続の経緯
　本願は、平成２６年１２月２５日（パリ条約による優先権主張外国庁受理２０１３年１２月２７日、中国）を国際出願日とする出願であって、平成２９年３月９日付けで拒絶理由通知がされ、同年６月１４日付けで手続補正がされ、同年６月２９日付けで拒絶査定（原査定）がされ、これに対し、同年１１月６日に拒絶査定不服審判の請求がされると同時に、手続補正がされたものである。
第２　原査定の概要
　原査定（平成２９年６月２９日付け拒絶査定）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　記
・請求項　１−１１
・引用文献等　１−３
　　　　　　　　　　　　　＜引用文献等一覧＞
１．特開２０１２−２０８２６３号公報
２．特開２０１３−２０５３０号公報
３．特開２０１３−１５９８９号公報
第３　本願発明
　本願請求項１−１１に係る発明（以下、それぞれ「本願発明１」−「本願発明１１」という。）は、平成２９年１１月６日付けの手続補正書で補正された特許請求の範囲の請求項１−１１に記載された事項により特定される発明であり、以下のとおりの発明である。
「【請求項１】
　基板と、前記基板上に順に積層して設けられた第１の電極、有機発光層および第２の電極を含む複数の有機発光ダイオードとを含み、第１の電極が基板に近接して設けられたタッチ表示装置であって、
　前記有機発光ダイオード上に順に積層して設けられた第１のパッケージ層、タッチ層および第２のパッケージ層をさらに含み、
　前記第１のパッケージ層と前記第２のパッケージ層のいずれも、交互に積層された有機薄膜と無機薄膜とからなる多層膜を含む膜層であり、
　すべての前記有機発光ダイオードにおける前記第１の電極は互いに独立して設けられ、
　各行の前記有機発光ダイオードにおける前記第２の電極は第１の方向に沿って同層で直列接続されて、複数の第１の導電部を形成し、
　前記タッチ層は第２の方向に沿って平行に配列している複数の第２の導電部を含み、前記第１の導電部と前記第２の導電部が互いに絶縁した交差回路網を形成することを特徴とするタッチ表示装置。
　　【請求項２】
　前記第１の導電部と前記第２の導電部はパターンが同じであることを特徴とする請求項１に記載のタッチ表示装置。
　　【請求項３】
　前記タッチ層の厚さは５ｎｍ〜２００ｎｍであることを特徴とする請求項１に記載のタッチ表示装置。
　　【請求項４】
　前記第２の電極の厚さは１ｎｍ〜５００ｎｍであることを特徴とする請求項１に記載のタッチ表示装置。
　　【請求項５】
　前記第１の方向は前記第２の方向に垂直であることを特徴とする請求項１に記載のタッチ表示装置。
　　【請求項６】
　前記第１の導電部と前記第２の導電部は、いずれも透明または半透明の導電層であることを特徴とする請求項１に記載のタッチ表示装置。
　　【請求項７】
　前記第１のパッケージ層の厚さが５０ｎｍ〜５μｍであり、前記第２のパッケージ層の厚さが５０ｎｍ〜５μｍであることを特徴とする請求項１に記載のタッチ表示装置。
　　【請求項８】
　前記基板とすべての前記有機発光ダイオードとの間に駆動回路層がさらに設けられ、前記駆動回路層における回路は、すべての前記有機発光ダイオードを駆動するためのものであることを特徴とする請求項１〜７のいずれか１項に記載のタッチ表示装置。
　　【請求項９】
　請求項１〜８のいずれか１項に記載のタッチ装置の製造方法であって、
　基板に独立して設けられる第１の電極を形成し、第１の電極に有機発光層を形成するステップＳ１と、
　前記有機発光層に第２の電極を形成し、第２の電極を第１の方向に沿って同層で直列接続して、平行に配列している第１の導電部を形成するステップＳ２と、
　基板にすべての第１の導電部を被覆する、交互に積層された有機薄膜と無機薄膜とからなる多層膜を含む膜層である第１のパッケージ層を形成するステップＳ３と、
　第１のパッケージ層に導電層を形成し、パターン化して第２の方向に沿って平行に配列し第１の導電部とともに互いに絶縁した交差回路網を形成する複数の第２の導電部を形成するステップＳ４と、
　基板にすべての第２の導電部を被覆する、交互に積層された有機薄膜と無機薄膜とからなる多層膜を含む膜層である第２のパッケージ層を形成するステップＳ５と、を含むことを特徴とするタッチ装置の製造方法。
　　【請求項１０】
　ステップＳ１の前に、基板に駆動回路層を形成するステップをさらに含むことを特徴とする請求項９に記載のタッチ装置の製造方法。
　　【請求項１１】
　ステップＳ４において、前記第２の導電部は、マスクプロセスまたは印刷プロセスにより直接形成することもできることを特徴とする請求項９に記載のタッチ装置の製造方法。」
第４　引用文献、引用発明等
１．引用文献１について
　原査定の拒絶の理由に引用された引用文献１には、図面とともに以下の事項が記載されている。
ａ）「【００３１】
  次に、表示パネル１０における画素回路１２近傍の断面構成について説明する。図４は、表示パネル１０における画素回路１２近傍の断面構成の一例を表したものである。
表示パネル１０は、
表示部３０と検出部４０とを互いに重ね合わせた構成となって
【００３２】
 
 表示部３０は、
基板３１上に、画素回路２１、絶縁層３２、絶縁層３３および絶縁層３４をこの順に積層した構成となって
絶縁層３３は開口３３Ａを有しており、開口３３Ａに有機ＥＬ素子１１が設けられ
有機ＥＬ素子１１は、
アノード電極３５、有機層３６およびカソード線ＣＴＬを開口３３Ａの底面側から順に積層して構成され
【００３３】
  アノード電極３５は、絶縁層３２の平坦面にならった平坦な膜となっている。アノード電極３５は、金属材料によって構成されており、反射ミラーとして機能する。従って、表示パネル１０は、トップエミッション構造となっている。有機層３６は、例えば、アノード電極３５側から順に、正孔注入効率を高める正孔注入層と、発光層への正孔輸送効率を高める正孔輸送層と、電子と正孔との再結合による発光を生じさせる発光層と、発光層への電子輸送効率を高める電子輸送層とを有している。カソード線ＣＴＬは、少なくとも有機層３６の上面に接して形成されている。
カソード線ＣＴＬは、行方向（ドレイン線ＤＳＬの延在方向）に延在しており、行方向に配列された複数の有機ＥＬ素子１１で共有された帯状電極で
複数のカソード線ＣＴＬは、互いに並列に配置されて
【００３４】
  
検出部４０は、
基板４１上に、複数の検出電極ＤＥＴと、接着層４２とを積層したもので
検出電極ＤＥＴを表示部３０側に向けて配置されて
基板４１は、
光透過性の樹脂フィルムやガラス基板からな
基板４１の裏面（検出電極ＤＥＴとは反対側の面）が、表示パネル１０の映像表示面Ｓとなって
接着層４２は、表示部３０と検出部４０とを互いに貼り合わせるためのものであ
各検出電極ＤＥＴは、
列方向（カソード線ＣＴＬと交差する方向）に延在する帯状電極で
複数の検出電極ＤＥＴは、互いに並列に配置されて
【００３５】
  ここで、例えば、
絶縁層３４および接着層４２と、これらを介して互いに対向配置されたカソード線ＣＴＬおよび検出電極ＤＥＴとにより容量素子が構成され
その容量素子が、表示パネル１０において静電容量型のタッチセンサとして機能する
　上記下線部及び関連箇所の記載によれば、引用文献１には、表示パネルとして、以下の発明（以下、「引用発明」という。）が記載されている。
　「表示パネル１０は、表示部３０と検出部４０とを互いに重ね合わせた構成となっており、
  表示部３０は、基板３１上に、画素回路２１、絶縁層３２、絶縁層３３および絶縁層３４をこの順に積層した構成となっており、
　絶縁層３３は開口３３Ａを有しており、開口３３Ａに有機ＥＬ素子１１が設けられ、
　有機ＥＬ素子１１は、アノード電極３５、有機層３６およびカソード線ＣＴＬを開口３３Ａの底面側から順に積層して構成され、
　カソード線ＣＴＬは、行方向に延在しており、行方向に配列された複数の有機ＥＬ素子１１で共有された帯状電極で、複数のカソード線ＣＴＬは、互いに並列に配置されており、
  検出部４０は、基板４１上に、複数の検出電極ＤＥＴと、接着層４２とを積層したもので、検出電極ＤＥＴを表示部３０側に向けて配置されており、
　基板４１は、光透過性の樹脂フィルムやガラス基板からなり、基板４１の裏面（検出電極ＤＥＴとは反対側の面）が、表示パネル１０の映像表示面Ｓとなっており、
　接着層４２は、表示部３０と検出部４０とを互いに貼り合わせるためのものであり、
　各検出電極ＤＥＴは、列方向（カソード線ＣＴＬと交差する方向）に延在する帯状電極で、複数の検出電極ＤＥＴは、互いに並列に配置されており、
　絶縁層３４および接着層４２と、これらを介して互いに対向配置されたカソード線ＣＴＬおよび検出電極ＤＥＴとにより容量素子が構成され、その容量素子が、表示パネル１０において静電容量型のタッチセンサとして機能する
　表示パネル１０。」
２．引用文献２について
　原査定の拒絶の理由に引用された上記引用文献２の段落【００２４】及び図１の記載からみて、当該引用文献２には、第１の透明電極４及び第２の透明電極５は、タッチセンサパネル部材における透明電極を形成するための材料として一般的に知られる材料を選択して形成し、厚みはそれぞれ１０ｎｍ〜１００ｎｍ程度とするという技術的事項が記載されていると認められる。
３．引用文献３について
　原査定の拒絶の理由に引用された上記引用文献３の段落【００３２】、【００３９】及び図１の記載からみて、当該引用文献３には、静電容量型タッチパネルの電極パターン４，８の電極膜としては、膜厚は１５〜２０ｎｍが適当であり、約１５ｎｍのＩＴＯ膜を使用するという技術的事項が記載されていると認められる。
　また、上記引用文献３の段落【００３２】、【００３５】、【００４３】−【００４４】及び図１の記載からみて、当該引用文献３には、静電容量型タッチパネルは、電極パターン４上を被うように基板表面上には透明な誘電体膜６が形成され、誘電体膜６上には第１電極パターンの延びる方向とは直交する方向に延びる複数の透明導電膜パターンからなる第２電極パターン８が形成され、電極パターン８上を被うように、基板表面上には透明な絶縁膜からなる保護膜１０が形成されており、誘電体膜６はＳｉＯ２膜、保護膜１０はＳｉＯ２膜とするという技術的事項も記載されていると認められる。
４．その他の文献について
　特開２００３−３４１００３号公報（以下、「引用文献４」という。）の段落【０００５】、【００１１】、【００４８】−【００４９の記載からみて、当該引用文献４には、電子デバイスの分野において、高分子基板が望まれるようになっているが、高分子材料は、ガラスなどの無機材料と比較した場合、ガスの透過性が著しく大きいという問題を有していることに鑑みて提供された、基材上に樹脂薄膜層を形成する工程を施した後、無機酸化物を真空成膜法により蒸着させる蒸着工程を行うものであっても、基板上に無機酸化物を真空成膜法により蒸着させる蒸着工程を行い、次いで樹脂薄膜層を形成する工程を施すものであってもよい、樹脂薄膜層表面に無機酸化物の蒸着膜を堆積させるものであるので、蒸着層中の欠陥の発生を少なくすることが可能となり、その結果ガスバリア性を向上させることができる、可撓性の高いガスバリア性フィルムが記載されていると認められる。
　特開２００４−２６８３１１号公報（以下、「引用文献５」という。）の段落【０００１】、【０００３】、【００１０】の記載からみて、当該引用文献５には、タッチパネル等における表面の汚れ、擦過発生を防止するための汚れ付着防止高耐擦過性フィルムであり、汚れ防止や擦過発生防止が必要な対象物の表面に配置するものであり、汚れ付着防止高耐擦過性フィルムは、基材フィルムと無機薄膜層と撥水性樹脂層と、基材フィルムの他方の面に形成された透明導電膜とを備えるとともに、基材フィルムと透明導電膜の間に無機薄膜からなるガスバリア膜を備え、タッチパネルの上部透明電極シートとして使用することができる汚れ付着防止高耐擦過性フィルムが記載されていると認められる。
第５　対比・判断
１．本願発明１について
（１）対比
　本願発明１と引用発明とを対比する。 
ア．引用発明の「基板３１」、「アノード電極３５」、「有機層３６」、「カソード線ＣＴＬ」はそれぞれ、本願発明１の「基板」、「第１の電極」、「有機発光層」、「第２の電極」に相当し、引用発明が「表示部３０は、基板３１上に、」「絶縁層３２、絶縁層３３」「をこの順に積層した構成となっており、絶縁層３３は開口３３Ａを有しており、開口３３Ａに有機ＥＬ素子１１が設けられ、有機ＥＬ素子１１は、アノード電極３５、有機層３６およびカソード線ＣＴＬを開口３３Ａの底面側から順に積層して構成」されることは、本願発明１の「基板と、前記基板上に順に積層して設けられた第１の電極、有機発光層および第２の電極を含む複数の有機発光ダイオードとを含む、第１の電極が基板に近接して設けられた」ことに相当する。
　そして、引用発明の「表示パネル１０は、表示部３０と検出部４０とを互いに重ね合わせた構成となって」おり「静電容量型のタッチセンサとして機能する」ものであるから、引用発明の「表示パネル１０」は、本願発明１の「基板と、前記基板上に順に積層して設けられた第１の電極、有機発光層および第２の電極を含む複数の有機発光ダイオードとを含む、第１の電極が基板に近接して設けられたタッチ表示装置」に相当する。
イ．引用発明の「表示部３０」は、「絶縁層３３および絶縁層３４をこの順に積層した構成となっており」、「検出部４０は、基板４１上に、複数の検出電極ＤＥＴと、接着層４２とを積層したもので、検出電極ＤＥＴを表示部３０側に向けて配置されており」、「接着層４２は、表示部３０と検出部４０とを互いに貼り合わせる」構成を有するものであるから、引用発明の「絶縁層３４」および「接着層４２」は本願発明１の「第１のパッケージ層」に、引用発明の「検出電極ＤＥＴ」は本願発明１の「タッチ層」に、引用発明の「基板４１」は本願発明１の「第２のパッケージ層」にそれぞれ相当し、引用発明の上記構成は、本願発明１の「前記有機発光ダイオード上に積層して設けられた第１のパッケージ層、タッチ層および第２のパッケージ層をさらに含」むことに相当する。
ウ．引用発明の「アノード電極３５」は、「有機ＥＬ
素子
エ．引用発明の「カソード線ＣＴＬは、行方向に延在しており、行方向に配列された複数の有機ＥＬ素子１１で共有された帯状電極で、複数のカソード線ＣＴＬは、互いに並列に配置されて」おり、「カソード線ＣＴＬおよび検出電極ＤＥＴとにより容量素子が構成され、その容量素子が、表示パネル１０において静電容量型のタッチセンサとして機能する」ことは、本願発明１の「各行の前記有機発光ダイオードにおける前記第２の電極は第１の方向に沿って同層で直列接続されて、複数の第１の導電部を形成」することに相当する。
オ．引用発明の「各検出電極ＤＥＴは、列方向（カソード線ＣＴＬと交差する方向）に延在する帯状電極で、複数の検出電極ＤＥＴは、互いに並列に配置されて」いることは、本願発明１の「前記タッチ層は第２の方向に沿って平行に配列している複数の第２の導電部を含み、前記第１の導電部と前記第２の導電部が互いに絶縁した交差回路網を形成すること」に相当する。
　したがって、両者は以下の一致点と相違点とを有する。 
　
〈一致点〉
「基板と、前記基板上に順に積層して設けられた第１の電極、有機発光層および第２の電極を含む複数の有機発光ダイオードとを含み、第１の電極が基板に近接して設けられたタッチ表示装置であって、
　前記有機発光ダイオード上に順に積層して設けられた第１のパッケージ層、タッチ層および第２のパッケージ層をさらに含み、
　すべての前記有機発光ダイオードにおける前記第１の電極は互いに独立して設けられ、
　各行の前記有機発光ダイオードにおける前記第２の電極は第１の方向に沿って同層で直列接続されて、複数の第１の導電部を形成し、
　前記タッチ層は第２の方向に沿って平行に配列している複数の第２の導電部を含み、前記第１の導電部と前記第２の導電部が互いに絶縁した交差回路網を形成することを特徴とするタッチ表示装置。」
〈相違点〉
　本願発明１は、「前記第１のパッケージ層と前記第２のパッケージ層のいずれも、交互に積層された有機薄膜と無機薄膜とからなる多層膜を含む膜層」であるのに対し、引用発明の「絶縁層３４」および「接着層４２」、「基板４１」はいずれも、交互に積層された有機薄膜と無機薄膜とからなる多層膜ではない点。
（２）相違点についての判断
　引用文献５には、タッチパネル等における表面の汚れ、擦過発生を防止するための汚れ付着防止高耐擦過性フィルムであり、汚れ防止や擦過発生防止が必要な対象物の表面に配置するものであり、汚れ付着防止高耐擦過性フィルムは、基材フィルムと無機薄膜層と撥水性樹脂層と、基材フィルムの他方の面に形成された透明導電膜とを備えるとともに、基材フィルムと透明導電膜の間に無機薄膜からなるガスバリア膜を備え、タッチパネルの上部透明電極シートとして使用することができる汚れ付着防止高耐擦過性フィルムが記載されているものの、引用文献５に記載された技術的事項は、「汚れ防止や擦過発生防止が必要な対象物の表面に配置するもの」であり、積層構成の内部に位置する層を「無機薄膜層と撥水性樹脂層」とを備える構成とするものではなく、また、積層構成の内部に位置する層を「無機薄膜層と撥水性樹脂層」とを備える構成とすることは、引用文献２−４にも記載されておらず、本願の優先日前において周知技術であるともいえない。
　また、引用発明において、「絶縁層３４」および「接着層４２」を「交互に積層された有機薄膜と無機薄膜とからなる多層膜を含む膜層」とする動機もない。
　したがって本願発明１は、当業者であっても引用発明、引用文献２−５に記載された技術的事項に基づいて容易に発明できたものであるとはいえない。
２．請求項２−１１について
　本願発明２−１１は、本願発明１を引用して限定するものであり、上記「１．請求項１について」にて述べたのと同様の理由により、引用発明及び引用文献２−５に記載された技術的事項に基づいて容易に発明できたものであるとはいえない。
第６　原査定について
　本願発明１−１１は、「前記第１のパッケージ層と前記第２のパッケージ層のいずれも、交互に積層された有機薄膜と無機薄膜とからなる多層膜を含む膜層」ものであるという技術的事項を有し、当該技術的事項は、原査定における引用文献１−３には記載されておらず、本願の優先日前における周知技術でもないので、本願発明１−１１は、当業者であっても、原査定における引用文献１−３に基づいて容易に発明できたものではない。
　したがって、原査定を維持することはできない。
第７　むすび
　以上のとおり、本願発明１−１１は、当業者が引用発明及び引用文献２−５に記載された技術的事項に基づいて容易に発明することができたものではない。
　したがって、原査定の理由によっては、本願を拒絶することはできない。
　また、他に本願を拒絶すべき理由を発見しない。
　よって、結論のとおり審決する。